(57)【要約】【課題】単位系の異なる複数の条件で意味のある適切な過去の事例抽出を行うことができ、且つ再現性のある重みづけ方法を行うことができる予測プログラム等を提供する。【解決手段】重回帰分析部１１はｎ個の諸量を説明変数とし１個の諸量を目的変数として、記録部４０の各記録ｉについて所定の重回帰分析（好適には部分的最小二乗法を用いた重回帰分析）を行い、ｎ個の偏回帰係数（ａｔ）を取得する。抽出部１２は所望のｎ個の諸量（抽出条件）と記録部４０の各記録ｉに記録されたｎ個の諸量との類似の程度を示す基準であって、ｎ個の偏回帰係数（ａｔ）を用いた基準（乖離度ｉ）により、所望のｎ個の諸量に最も類似する記録ｋを記録部４０から抽出する。諸量取得部１３は抽出された記録ｋに含まれる１個の諸量（Ｄｋ）を取得する。出力部１４は取得された１個の諸量（Ｄｋ）を、所望のｎ個の諸量（抽出条件）から予測される諸量として出力する。【選択図】図１
2010267217.tif 000002
【特許請求の範囲】
【請求項１】
管理システムが設置された環境における予測を行うためのコンピュータを有する予測装置であって、
該管理システムで過去から現在に亘り単位時間毎に測定された単位系が異なる諸量について、ｎ個の諸量と該ｎ個の諸量に関連する１個の諸量を一記録として複数の一記録を記録した記録部と、
前記ｎ個の諸量を説明変数とし前記１個の諸量を目的変数とした単位系が異なる諸量に関する回帰式について、前記記録部の複数の一記録を用いて所定の重回帰分析を行い、単位系が異なる諸量に対応したｎ個の偏回帰係数を取得する重回帰分析手段と、
所望の前記ｎ個の諸量と前記記録部の各一記録に記録されたｎ個の諸量との類似の程度を示す基準であって、前記重回帰分析手段により取得された単位系が異なる諸量に対応したｎ個の偏回帰係数を用いた基準により、該所望の前記ｎ個の諸量に最も類似する一記録を前記記録部から抽出する抽出手段と、
前記抽出手段により抽出された一記録に含まれる前記１個の諸量を取得する諸量取得手段と、
前記諸量取得手段により取得された前記１個の諸量を、前記所望の前記ｎ個の諸量から予測される諸量として出力する出力手段とを備えたことを特徴とする予測装置。
【請求項２】
請求項１記載の予測装置において、前記重回帰分析手段における所定の重回帰分析は部分的最小二乗法を用いることを特徴とする予測装置。
【請求項３】
請求項１又は２記載の予測装置において、前記抽出手段における基準は、前記記録部の各一記録に記録されたｎ個の各諸量と前記所望の前記ｎ個の各諸量との差の二乗に、前記重回帰分析部により取得された単位系が異なる諸量に対応したｎ個の各偏回帰係数を乗じた値の総和の平方根であることを特徴とする予測装置。
【請求項４】
請求項１乃至３のいずれか１項に記載の予測装置において、前記諸量は前記管理システムが設置された環境における降雨量、該管理システムへ流入する流入量、該管理システムに貯えられた貯水位、該管理システムから放流される放流量のいずれか２以上であることを特徴とする予測装置。
【請求項５】
管理システムが設置された環境における予測を行うための予測プログラムであって、
該管理システムで過去から現在に亘り単位時間毎に測定された単位系が異なる諸量について、ｎ個の諸量と該ｎ個の諸量に関連する１個の諸量を一記録として複数の一記録を記録した記録部を有するコンピュータを、
前記ｎ個の諸量を説明変数とし前記１個の諸量を目的変数とした単位系が異なる諸量に関する回帰式について、前記記録部の複数の一記録を用いて所定の重回帰分析を行い、単位系が異なる諸量に対応したｎ個の偏回帰係数を取得する重回帰分析手段、
所望の前記ｎ個の諸量と前記記録部の各一記録に記録されたｎ個の諸量との類似の程度を示す基準であって、前記重回帰分析手段により取得された単位系が異なる諸量に対応したｎ個の偏回帰係数を用いた基準により、該所望の前記ｎ個の諸量に最も類似する一記録を前記記録部から抽出する抽出手段、
前記抽出手段により抽出された一記録に含まれる前記１個の諸量を取得する諸量取得手段、
前記諸量取得手段により取得された前記１個の諸量を、前記所望の前記ｎ個の諸量から予測される諸量として出力する出力手段として機能させるための予測プログラム。
【請求項６】
管理システムが設置された環境における予測をコンピュータを用いて行うための予測方法であって、該管理システムで過去から現在に亘り単位時間毎に測定された単位系が異なる諸量について、ｎ個の諸量と該ｎ個の諸量に関連する１個の諸量を一記録として複数の一記録を記録した記録部を用いるものであり、
前記ｎ個の諸量を説明変数とし前記１個の諸量を目的変数とした単位系が異なる諸量に関する回帰式について、前記記録部の複数の一記録を用いて所定の重回帰分析を行い、単位系が異なる諸量に対応したｎ個の偏回帰係数を取得する重回帰分析ステップと、
所望の前記ｎ個の諸量と前記記録部の各一記録に記録されたｎ個の諸量との類似の程度を示す基準であって、前記重回帰分析ステップで取得された単位系が異なる諸量に対応したｎ個の偏回帰係数を用いた基準により、該所望の前記ｎ個の諸量に最も類似する一記録を前記記録部から抽出する抽出ステップと、
前記抽出ステップで抽出された一記録に含まれる前記１個の諸量を取得する諸量取得ステップと、
前記諸量取得ステップで取得された前記１個の諸量を、前記所望の前記ｎ個の諸量から予測される諸量として出力する出力ステップとを備えたことを特徴とする予測方法。
【発明の詳細な説明】
【技術分野】
【０００１】
本発明は、管理システムで運用上必要となるデータの予測を行うための予測装置等に関し、特にダム管理システムまたは下水道管理システムにおいて将来の流入量等や管理システムで制御可能な放流量等を予測する予測装置等に関する。
【背景技術】
【０００２】
従来、ダムまたは下水管理システムでは、水の流入量に応じて運用状態、例えば放流量または送水ポンプの運転等を変える必要があるため、流入量の予測を行っていた。実用的に良く使われる手法としては、雨水の流れをモデル化したタンクモデル（Tank  model）または貯留量と流量との間に関数関係を仮定した留関数法等がある。これらの手法よりもさらに高精度に流入量を予測する方法として、ニューラルネットワークが使われることもある。
【０００３】
上述の手法により得られる予測値は流入量のみであるため、今後どのように放流していけばよいかは人間が決めなければならなかった。そこで、現在の降雨状態または流入状態に最も近い過去の類似事例の流入量と放流量とを参考にし、今後の放流量を決定したいというニーズがあった。そのようなニーズを実現する手法として、１）ユークリッド距離を用いる手法、２）操業結果予測方法およびそのシステム（特許文献１参照）による手法等がある。１）の技術は一般的な手法であり、現在の流入量等と過去の類似事例における放流量等とについてユークリッド距離が小さい事例を抽出するものである。２）の発明は、工場の操業状態を対象にしたものであり、操業因子の距離により類似事例を抽出する発明である。より詳しくは、重みづけをしたユークリッド距離により過去の類似事例を抽出するものである。
【発明の概要】
【発明が解決しようとする課題】
【０００４】
上述した１）の技術は、一般的な手法であるユークリッド距離により過去の類似事例を抽出する方法であるが、単位系が異なる複数の条件で抽出するのが困難であるという問題があった。つまり、流入量と放流量とは同じ単位［ｍ３／ｓｅｃ］であるが、貯水位の単位は［ｍ］、流域平均累計雨量の単位は［ｍｍ］であるため、単位系の異なる複数の条件では意味のある適切な過去の事例の抽出が困難であるという問題があった。より具体的に説明すると、仮に流入量だけで過去の事例を抽出した場合、流入波形が同じような過去の事例が抽出できたとしても、貯水位が異なれば、適切な放流量が異なるのは自明であるため、抽出した過去の事例における放流量は参考にならないことになる。
【０００５】
上述した２）の発明は、重みづけをしたユークリッド距離により過去の類似事例を抽出するものである。しかし、どのように重みづけをすればよいかに関しては何も記載されていない。重みづけのしかたによっては、期待したような事例が抽出できないという問題があった。
【０００６】
そこで、本発明の目的は、上記問題を解決するためになされたものであり、単位系の異なる複数の条件で意味のある適切な過去の事例抽出を行うことができ、且つ再現性のある重みづけ方法を行うことができる予測装置等を提供することにある。
【課題を解決するための手段】
【０００７】
この発明の予測装置は、管理システムが設置された環境における予測を行うためのコンピュータを有する予測装置であって、該管理システムで過去から現在に亘り単位時間毎に測定された単位系が異なる諸量について、ｎ個の諸量と該ｎ個の諸量に関連する１個の諸量を一記録として複数の一記録を記録した記録部と、前記ｎ個の諸量を説明変数とし前記１個の諸量を目的変数とした単位系が異なる諸量に関する回帰式について、前記記録部の複数の一記録を用いて所定の重回帰分析を行い、単位系が異なる諸量に対応したｎ個の偏回帰係数を取得する重回帰分析手段と、所望の前記ｎ個の諸量と前記記録部の各一記録に記録されたｎ個の諸量との類似の程度を示す基準であって、前記重回帰分析手段により取得された単位系が異なる諸量に対応したｎ個の偏回帰係数を用いた基準により、該所望の前記ｎ個の諸量に最も類似する一記録を前記記録部から抽出する抽出手段と、前記抽出手段により抽出された一記録に含まれる前記１個の諸量を取得する諸量取得手段と、前記諸量取得手段により取得された前記１個の諸量を、前記所望の前記ｎ個の諸量から予測される諸量として出力する出力手段とを備えたことを特徴とする。
【０００８】
ここで、この発明の予測装置において、前記重回帰分析手段における所定の重回帰分析は部分的最小二乗法を用いることができる。
【０００９】
ここで、この発明の予測装置において、前記抽出手段における基準は、前記記録部の各一記録に記録されたｎ個の各諸量と前記所望の前記ｎ個の各諸量との差の二乗に、前記重回帰分析部により取得された単位系が異なる諸量に対応したｎ個の各偏回帰係数を乗じた値の総和の平方根とすることができる。
【００１０】
ここで、この発明の予測装置において、前記諸量は前記管理システムが設置された環境における降雨量、該管理システムへ流入する流入量、該管理システムに貯えられた貯水位、該管理システムから放流される放流量のいずれか２以上とすることができる。
【００１１】
この発明の予測プログラムは、管理システムが設置された環境における予測を行うための予測プログラムであって、該管理システムで過去から現在に亘り単位時間毎に測定された単位系が異なる諸量について、ｎ個の諸量と該ｎ個の諸量に関連する１個の諸量を一記録として複数の一記録を記録した記録部を有するコンピュータを、前記ｎ個の諸量を説明変数とし前記１個の諸量を目的変数とした単位系が異なる諸量に関する回帰式について、前記記録部の複数の一記録を用いて所定の重回帰分析を行い、単位系が異なる諸量に対応したｎ個の偏回帰係数を取得する重回帰分析手段、所望の前記ｎ個の諸量と前記記録部の各一記録に記録されたｎ個の諸量との類似の程度を示す基準であって、前記重回帰分析手段により取得された単位系が異なる諸量に対応したｎ個の偏回帰係数を用いた基準により、該所望の前記ｎ個の諸量に最も類似する一記録を前記記録部から抽出する抽出手段、前記抽出手段により抽出された一記録に含まれる前記１個の諸量を取得する諸量取得手段、前記諸量取得手段により取得された前記１個の諸量を、前記所望の前記ｎ個の諸量から予測される諸量として出力する出力手段として機能させるための予測プログラムである。
【００１２】
この発明の予測方法は、管理システムが設置された環境における予測をコンピュータを用いて行うための予測方法であって、該管理システムで過去から現在に亘り単位時間毎に測定された単位系が異なる諸量について、ｎ個の諸量と該ｎ個の諸量に関連する１個の諸量を一記録として複数の一記録を記録した記録部を用いるものであり、前記ｎ個の諸量を説明変数とし前記１個の諸量を目的変数とした単位系が異なる諸量に関する回帰式について、前記記録部の複数の一記録を用いて所定の重回帰分析を行い、単位系が異なる諸量に対応したｎ個の偏回帰係数を取得する重回帰分析ステップと、所望の前記ｎ個の諸量と前記記録部の各一記録に記録されたｎ個の諸量との類似の程度を示す基準であって、前記重回帰分析ステップで取得された単位系が異なる諸量に対応したｎ個の偏回帰係数を用いた基準により、該所望の前記ｎ個の諸量に最も類似する一記録を前記記録部から抽出する抽出ステップと、前記抽出ステップで抽出された一記録に含まれる前記１個の諸量を取得する諸量取得ステップと、前記諸量取得ステップで取得された前記１個の諸量を、前記所望の前記ｎ個の諸量から予測される諸量として出力する出力ステップとを備えたことを特徴とする。
【発明の効果】
【００１３】
本発明の予測装置等は、管理システムで運用上必要となるデータの予測を行うため、重回帰分析部、抽出部、諸量取得部および出力部を備えている。記録部は、管理システムにより収集された種々のデータを記録している。記録部に記録されたこれらのデータは、管理システムで過去から現在に亘り単位時間毎に測定された単位系が異なる諸量である。重回帰分析部はｎ個の諸量（例えばある時点ｋを基準とした現在雨量からｎ―２時間前雨量と現在貯水位）を説明変数とし、１個の諸量（例えばある時点ｋを基準とした１時間先の放流量）を目的変数とした単位系が異なる諸量に関する回帰式について、記録部の複数の一記録を用いて所定の重回帰分析を行い、単位系が異なる諸量に対応したｎ個の偏回帰係数（ａ０〜ａｎ−１）を取得する。偏回帰係数ａ０〜ａｎ−１の算出方法（所定の重回帰分析）としては、部分的最小二乗法が好適である。抽出部は、所望のｎ個の諸量と記録部の各一記録に記録されたｎ個の諸量との類似の程度を示す基準であって、重回帰分析部により取得された単位系が異なる諸量に対応したｎ個の偏回帰係数を用いた基準（例えば後述する乖離度）により、所望のｎ個の諸量に最も類似する記録を記録部から抽出する。抽出条件設定部は、類似事例を記録部から抽出（検索）するための抽出条件（所望のｎ個の諸量）を設定する。諸量取得部は、上述のようにして抽出部により抽出された乖離度が最小の記録に含まれる１個の諸量を取得する。出力部は諸量取得部により取得された１個の諸量を、所望のｎ個の諸量（抽出条件）から予測される諸量として表示装置等へ出力する。
【００１４】
以上のように本発明の予測装置等によれば、部分的最小二乗法を用いた重回帰分析により単位系の異なる複数の条件で偏回帰係数を求めることができる。この偏回帰係数という再現性のある重み付けを行った乖離度を用いて過去事例を検索することにより、現在の降雨量との乖離度が小さいという意味を有する適切な過去事例の抽出を行うことができる。抽出された過去事例を参考にすることにより、将来の流入量を予測することができ、放流量決定の参考とすることができるという効果がある。
【図面の簡単な説明】
【００１５】
【図１】本発明の実施例１における予測装置５等が適用されるダム管理システム１を示す図である。
【図２】記録部４０における上記諸量の記録形式の一例を示す図である。
【図３】出力部１４が出力する抽出した事例示す図である。
【図４（Ａ）】記録部４０に記録された具体的なデータ例を示す図である。
【図４（Ｂ）】抽出条件設定部３０により設定された抽出条件（ｔ＝０〜３５）を例示する。
【図５】重回帰分析部１１が最小二乗法により求めた偏回帰係数ａｔ（ｔ＝０〜３５）をグラフ形式で示す図である。
【図６】重回帰分析部１１が部分的最小二乗法により求めた偏回帰係数ａｔ（ｔ＝０〜３５）をグラフ形式で示す図である。
【図７】重回帰分析部１１が部分的最小二乗法（ＰＬＳ）により求めた偏回帰係数ａｔ（ｔ＝０〜３５）と最小二乗法により求めた偏回帰係数ａｔ（ｔ＝０〜３５）との比較を数値表の形式で示す図である。
【図８】抽出部１２が、部分的最小二乗法（ＰＬＳ）による偏回帰係数ａｔ（ｔ＝０〜３５）と最小二乗法（ＬＳ）による偏回帰係数ａｔ（ｔ＝０〜３５）とをそれぞれ乖離度ｉに用いて、図４（Ｂ）に示される抽出条件により抽出した雨量の事例を示す図である。
【図９】本発明の予測装置５および予測方法の処理の流れを示すフローチャートである。
【図１０】本発明の予測装置５が有するコンピュータ、予測プログラムまたは予測方法を実行するコンピュータの内部回路７０を示すブロック図である。
【発明を実施するための形態】
【００１６】
以下、各実施例について図面を参照して詳細に説明する。
【実施例１】
【００１７】
本発明の予測装置等につき、ダム管理システムを例に採り上げて説明する。図１は、本発明の実施例１における予測装置等が適用されるダム管理システム１を示す。図１において、符号２１は雨量観測所の実績雨量［ｍｍ］および気象予報情報を収集する降雨情報収集部であり、気象予報情報は一般的には気象業者から配信される。実績雨量については雨量観測所から収集せずに自前の雨量計情報を利用しても良い。これらの降雨情報は、例えば１時間当たりの降雨量［ｍｍ／ｈ］として毎時間、ダム管理システム１のディスク等の記録装置４５内にある記録部４０に保存される。保存する間隔は１時間単位でなくてもよいのは勿論であり、任意の時間単位であってもよい。保存する間隔については、以下で説明する他の情報またはデータに関しても同様に、１時間単位ではなく任意の時間単位であってもよい。
【００１８】
続けて、符号２２はダム（不図示）の貯水位［ｍ］を収集する貯水位収集部である。ダムには水位計（不図示）が設置されており、リアルタイムにダムの水位がダム管理システム１へ伝送され、記録部４０に記録される。
【００１９】
符号２３はダムからの放流量［ｍ３／ｓｅｃ］を収集する放流量収集部である。具体的には、放流量はダムのゲート開度と貯水位とで定まる算定式により決定され、記録部４０に記録される。
【００２０】
符号２４はダムの流入量［ｍ３／ｓｅｃ］を収集する流入量収集部である。ダムの流入量は放流量と貯水位とを用いて、式１により計算され、記録部４０に記録される。
【００２１】
流入量＝
貯水量の変化量（現在の貯水位，前回の貯水位）＋前回から現在までの放流量  （１）
【００２２】
式１において、右辺第１項の（ダムの）貯水量の変化量は現在の貯水位と前回の貯水位との関数となる。通常は貯水位とダムの貯水量との換算用テーブルが予め流入量収集部２４に記憶されており、それを予測装置５が参照することにより、現在の貯水位から現在のダムの貯水量を求め、前回の貯水位から前回のダムの貯水量を求めて、両者の差からダムの貯水量の変化量を得る。
【００２３】
図１において、符号１０はダム管理システム１における予測装置５の機能ブロック図を示す。予測装置５はダム管理システム１が設置された環境における予測を行うための装置であり、機能ブロック図１０内に示されるように、予測装置５は重回帰分析部（重回帰分析手段）１１、抽出部（抽出手段）１２、諸量取得部（諸量取得手段）１３、出力部（出力手段）１４および抽出条件設定部(抽出条件設定手段)３０の各機能と、ディスク４５等の記録装置に記録された記録部４０とを備えている。図１に示される予測装置５が備えた重回帰分析部１１等の各機能はソフトウェアを用いて実現することができ、あるいは、一部をハードウェアにより実現することもできる。記録部４０は上述したように、降雨情報収集部２１、貯水位収集部２２、放流量収集部２３および流入量収集部２４により収集された種々のデータを記録している。記録部４０に記録されたこれらのデータは、ダム管理システム１で過去から現在に亘り単位時間毎に測定された単位系が異なる諸量である。
【００２４】
図２は、記録部４０における上記諸量の記録形式の一例を示す。図２において、行ｉは記録部４０における一記録（レコード）を示し、図２ではｉ＝０からＴまでのＴ＋１記録が示されている。ｉ＝０は現在時点における一記録であり、ｉ＝ｋは現在からｋ単位時間前に記録された一記録、ｉ＝Ｔは現在からＴ単位時間前に記録された一記録である。図２において、列ｔは一記録に記録された諸量（データ項目）を示している。例えば、単位系が同じである諸量を用いる場合には、ｔ＝０が現在の諸量、ｔ＝１が１単位時間前の諸量、ｔ＝２が２単位時間前の諸量、．．．、ｔ＝ｎ−１がｎ−１単位時間前の諸量とすることができる。また、単位系が異なる諸量を用いる場合には、ｔ＝０が現在の諸量、ｔ＝１が１単位時間前の諸量、ｔ＝２が２単位時間前の諸量、．．．、ｔ＝ｎ−２がｎ−２単位時間前の諸量、ｔ＝ｎ−１が現在の単位系が異なる他の諸量とすることができる。勿論、単位系が異なる諸量を２種類以上とすることもできる。図２において、過去（ｔ＝ｎ−１）から現在（ｔ＝０）に亘り単位時間毎に測定された、ｎ個の諸量が示されているとする。Ｄｉはこれらｎ個の諸量に関連する１個の諸量である。例えば、諸量を雨量［ｍｍ］（または［ｍｍ／ｈ］）とし、１単位時間を１時間とし、ｎ＝３６とし、Ｄｉを１時間先の流入量［ｍ３／ｓｅｃ］とすると、一記録ｉ＝ｋは現在からｋ時間前の時点を基準として、ｔ＝０が当該時点における現在の雨量（Ｒｋ，０）、ｔ＝１が当該時点から１時間前雨量（Ｒｋ，１）、ｔ＝２が当該時点から２時間前雨量（Ｒｋ，２）、ｔ＝ｎ−１が当該時点から３５時間前雨量（Ｒｋ，３５）、Ｄｋが当該時点から１時間先の流入量を示す。即ち、当該時点から３５時間前までの各雨量と当該時点から１時間先の（実績）流入量とが一記録となっている。以上のように、一記録には雨に関する単位系が異なる諸量である雨量［ｍｍ］（または［ｍｍ／ｈ］）、流入量［ｍ３／ｓｅｃ］が記録されている。上述の例では、行（ｉ）および列（ｔ）の各単位時間を同じく１時間としたため、例えばＲ０，１＝Ｒ１，０となるが、これは一例であって各単位時間は異なっていてもよい。
【００２５】
図１に戻り、重回帰分析部１１はｎ個の諸量（例えば上記のある時点ｋを基準とした現在雨量からｎ―１時間前雨量）を説明変数とし、１個の諸量（例えば上記のある時点ｋを基準とした１時間先の流入量）を目的変数とした単位系が異なる諸量に関する回帰式について、記録部４０の複数の一記録を用いて所定の重回帰分析を行い、単位系が異なる諸量に対応したｎ個の偏回帰係数を取得する。そして、重回帰分析に用いた回帰式に対し、取得した単位系が異なる諸量に対応したｎ個の偏回帰係数を与え、その回帰式にｎ個の諸量を代入することで１個の諸量の予測値を得ることが可能となる。例えば、記録部４０に記録された、ある時点ｋを基準とした現在雨量からｎ―１時間前雨量に基づき、当該時点ｋを基準とした１時間先の流入量を予測することが可能となる。より一般的に言えば、重回帰分析部１１が行う重回帰分析の結果を用いることにより、記録部４０に記録された諸量（任意のデータ項目）から任意の諸量を予測することが可能である。以下に、例として重回帰分析部１１が用いる２つの回帰式をあげる。式２は単位系が同じデータだけを入力とする回帰式の例であり、式３は単位系が異なるデータを入力とする回帰式の例である。回帰式２および３はあくまでも一実施形態であり、他の形の回帰式でも良いことは勿論である。
【００２６】
例１：降雨量から流入量を予測する場合の回帰式（データ項目は合計でｎ項目）。
１時間先流入量＝
ａ０・現在雨量+ａ１・１時間前雨量＋・・・＋ａｎ−１・ｎ−１時間前雨量    （２）
【００２７】
式２は上述した例に相当する式であり、ａ０〜ａｎ−１が偏回帰係数である。図２に示した符号を用いると以下の式２ａのようになる。
Ｄｋ＝ａ０・Ｒｋ，０+ａ１・Ｒｋ，１＋・・・＋ａｎ−１・Ｒｋ，ｎ−１  （２ａ）
【００２８】
例２：流入量と貯水位とから放流量を予測する場合の回帰式（データ項目は合計でｎ項目）。
１時間先放流量
＝ａ０・現在流入量+ａ１・１時間前流入量＋・・・＋ａｎ−２・ｎ−２時間前流入量＋
ａｎ−１・現在貯水位                                                    （３）
【００２９】
偏回帰係数ａ０〜ａｎ−１の算出方法（所定の重回帰分析）としては、一般的な最小二乗法（Least Square : ＬＳ）または部分的最小二乗法（Partial Least Square :ＰＬＳ）が挙げられる。最小二乗法および部分的最小二乗法のアルゴリズムについては、例えば「コンピュータ・ケミストリーシリーズ、ケモメトリックス、化学パターン認識と多変量解析、１９９５年１月、共立出版株式会社発行」等を参照されたい。上記式２、式３の右辺の各データ項目は、左辺のデータ項目に対して影響度合いが異なる。その影響度合いを定量化するため回帰式を構築する意味がある。
【００３０】
回帰式は一般的に最小二乗法で求める。しかし、最小二乗法は、入力データの中に相関の高いデータが含まれるとノイズの影響を受けやすく、しばしば妥当な係数が求められないという欠点がある（統計用語で多重共線性と呼ばれる現象）。雨量、流量、放流量等は互いに相関関係があるため、多重共線性が発生する。例えば、１時間前雨量が多いときには２時間雨量も多い相関関係があり、１時間前流入量が多い多いときには２時間流入量も多い相関関係がある。つまり、回帰式における説明変数間で相関が高くなる。そこで重回帰分析部１１は部分的最小二乗法を用いている。
【００３１】
図１の抽出部１２は、所望のｎ個の諸量と記録部４０の各一記録に記録されたｎ個の諸量との類似の程度を示す基準であって、重回帰分析部１１により取得された単位系が異なる諸量に対応したｎ個の偏回帰係数を用いた基準により、所望のｎ個の諸量に最も類似する一記録を記録部４０から抽出する。当該基準としては、以下の式４または５で示される乖離度ｉを用いることが好適である。
【００３２】
【数１】
2010267217.tif 000003
【００３３】
【数２】
2010267217.tif 000004
【００３４】
式４に示される乖離度ｉは、記録部４０の各一記録ｉ（図２参照）に記録されたｎ個（ｔ＝０〜ｎ−１）の各諸量（Ｒｉ，ｔ）と所望のｎ個の各諸量（Ｒｊ，ｔ）との差の二乗の総和の平方根である。但し、所望のｎ個の各諸量Ｒｊ，ｔ（ｔ＝０〜ｎ−１）は、Ｒｉ，ｔ（ｔ＝０〜ｎ−１）と対応した、記録部４０に記録された現在からｊ単位時間前の各諸量Ｒｊ，ｔ（ｔ＝０〜ｎ−１）という意味である。Ｒｉ，ｔと性質が同じ諸量という意味で同じ変数Ｒを用いている。ｉ≠ｊは記録部４０（図２）の行ｉを示す添字とは異なる添字ｊという意味である。これは以下の式５においても同様である。式５に示される乖離度ｉは、記録部４０の各一記録ｉに記録されたｎ個（ｔ＝０〜ｎ−１）の各諸量（Ｒｉ，ｔ）と所望のｎ個（ｔ＝０〜ｎ−１）の各諸量（Ｒｊ，ｔ）との差の二乗に、重回帰分析部１１により取得された単位系が異なる諸量に対応したｎ個の各偏回帰係数ａｔを乗じた値の総和の平方根である。抽出部１２は、与えられた所望のｎ個の諸量との乖離度ｉの値が小さい事例を記録部４０から抽出する。式４および５において、乖離度ｉの添字ｉは図２に示される各一記録ｉ（整数）に相当する。通常は添字ｊを０として所望のｎ個の各諸量を記録部４０内の最も新しい現在のデータＲ０，ｔ（ｔ＝０〜ｎ−１）とし、添字ｉが１のときには記録部４０内の１時間前までに蓄積されたデータ（Ｒ１，ｔ）と現在のデータ（Ｒ０，ｔ）との乖離度１を計算することを意味し、添字ｉが２４のときには記録部４０内の２４時間前までに蓄積されたデータ（Ｒ２４，ｔ）と現在のデータ（Ｒ０，ｔ）との乖離度２４を計算することを意味する。添字ｉを０からＴまで順次大きくして各乖離度iを求めればよい。抽出部１２で抽出される事例は乖離度ｉが最小のものである。乖離度ｋが最小であったとすると、ｋ時間前のデータ、即ち図２に示されるＲｋ，０、Ｒｋ，１、．．．、Ｒｋ，ｎ−１、Ｄｋが抽出される。乖離度ｉが最小のから複数個抽出しても良いことは勿論である。
【００３５】
上述した抽出部１２が用いる所望のｎ個の諸量は、予め設定しておくか、または入力操作部６０（後述の図１０参照）から入力してもよく、あるいは図２に示される抽出条件設定部３０により設定してもよい。抽出条件設定部３０は、類似事例を記録部４０から抽出（検索）するための抽出条件（所望のｎ個の諸量）を設定する。即ち、重回帰分析部１１が用いる回帰式２、２ａまたは３等の右辺に設定したデータ項目を設定する。例えば、重回帰分析部１１が式２を構築した場合、抽出条件設定部３０はｎ時間分の雨量を抽出条件として設定する。重回帰分析部１１が式３を設定した場合、抽出条件設定部３０はｎ−１時間分の流入量と現在の貯水位との合計ｎ項目を抽出条件として設定する。抽出条件に流量または降雨量等、単位系の異なる情報を用いる場合、いずれに重きを置いて抽出を行えばよいかに関する一般的な指針はない。そこで、抽出の目的に応じて流量または降雨量の影響度を求め、その影響度に応じた抽出を行う。その影響度の求め方として、本発明の予測装置は上述した回帰式を利用している。
【００３６】
図２に示される諸量取得部１３は、上述のようにして抽出部１２により抽出された乖離度ｉが最小の一記録ｉに含まれる１個の諸量Ｄｉを取得する。
【００３７】
出力部１４は諸量取得部１３により取得された一記録に含まれる１個の諸量Ｄｉを、所望のｎ個の諸量（抽出条件）から予測される諸量として表示装置５４等（後述の図１０参照）へ出力する。出力部１４は、抽出条件を含めて抽出した事例（乖離度ｉが最小の記録ｉおよび諸量Ｄｉ）をディスプレイ等に表示することができる。ディスプレイ等の画面でなく、プリンタまたはファイル等に出力しても良い。図３は、出力部１４が出力する抽出した事例である。図３に示されるように、現在時間ｔ＝０の実績雨量からｎ−１時間前（ｔ＝−（ｎ−１））のｎ時間分の実績雨量（抽出した事例）および上述のようにして予測された１時間先（ｔ＝＋１）の流入量（諸量Ｄｉ）を表示している。
【００３８】
次に、具体的データを用いて、重回帰分析部１１が偏回帰係数を求めた例を示す。回帰式は上記式２を用いることにし、ｎ＝３６とした。図４（Ａ）は記録部４０に記録された具体的なデータ例を図２に示される表形式で示す。図４（Ａ）では図面の都合上、ｔ＝０〜９における記録例ｉ＝０〜２を最上段に示し、ｔ＝１０〜１９における記録例ｉ＝０〜２を次の段に示し、ｔ＝２０〜２９における記録例ｉ＝０〜２をさらにその次の段に示し、ｔ＝３０〜３５における記録例ｉ＝０〜２および１時間先の流入量Ｄｉを最下段に示す。図４（Ａ）では記録例ｉは任意に抽出した３時間分しか示されていないが（連続した３時間分のデータではない。）、これは図面の都合によるものであって、実際は過去数年の記録ｉ（数千行程度）を用いる。重回帰分析部１１は、記録部４０に記録された図４（Ａ）に示される事例を用いて、式２に示される回帰式の偏回帰係数ａｔを求める。図４（Ｂ）は抽出条件設定部３０により設定された抽出条件（ｔ＝０〜３５）を表形式で例示する。例えば、現在雨量（ｔ＝０）は５［ｍｍ］、１時間前の雨量（ｔ＝１）は４．６７［ｍｍ］等である。
【００３９】
図５は、重回帰分析部１１が最小二乗法により求めた偏回帰係数ａｔ（ｔ＝０〜３５）をグラフ形式で示す。図５で、横軸の数字は偏回帰係数ａｔの添字ｔを示し、縦軸は偏回帰係数ａｔの値を示す。グラフの都合、横軸は偶数の添字のみ表示している。図５に示されるように、最小二乗法により求めた偏回帰係数ａｔの値は正負が混在している。例えば、偏回帰係数ａ４の値は負側に大きい（−０．０４程度）。これは、現在から４時間前に雨が降れば降るほど１時間先の流入量が少なくなることを意味しており、定性的には合いにくい結果である。時間的に近い雨量は相関が高く（上述した統計用語での多重共線性）、相関が高いデータから最小二乗法で回帰式を求めると、不適切な偏回帰係数が求められることがしばしば起きるという一例と思われる。
【００４０】
図６は、重回帰分析部１１が部分的最小二乗法により求めた偏回帰係数ａｔ（ｔ＝０〜３５）をグラフ形式で示す。横軸および縦軸は図５と同様であるため、説明は省略する。図６に示されるように、部分的最小二乗法により求めた偏回帰係数ａｔ（ｔ＝０〜３５）は全て正であり、且つ現在から１５時間前前後の雨量に対する偏回帰係数ａｔが大きい。これは、現在から１５時間前の雨量が現在から１時間先の流入量にとって特に重要であり、その前後の雨量も影響があることを示しており、定性的にも妥当な結果である。上記のように部分的最小二乗法を用いると、多重共線性の影響を受けずに妥当な偏回帰係数ａｔを求めることができる。このような妥当な偏回帰係数ａｔを事例抽出時の重み（式５に示される乖離度ｉの各偏回帰係数ａｔ）に使用することにより、妥当な類似事例の抽出が可能となる。
【００４１】
図７は、参考のため、重回帰分析部１１が部分的最小二乗法（ＰＬＳ）により求めた偏回帰係数ａｔ（ｔ＝０〜３５）と最小二乗法により求めた偏回帰係数ａｔ（ｔ＝０〜３５）との比較を数値表の形式で示す。
【００４２】
図８は、抽出部１２が、部分的最小二乗法（ＰＬＳ）による偏回帰係数ａｔ（ｔ＝０〜３５）と最小二乗法（ＬＳ）による偏回帰係数ａｔ（ｔ＝０〜３５）とをそれぞれ乖離度ｉに用いて、図４（Ｂ）に示される抽出条件により抽出した雨量の事例を示す。図８で横軸は現在から３５時間前までの時間であり、縦軸は雨量である。図８において、ＣＵＲ（菱形）で示される線が抽出条件（現在から３５時間前までの雨量）を示し、ＰＬＳ（正方形）で示される線がＰＬＳで抽出した雨量事例を示し、ＬＳ（三角形）で示される線がＬＳで抽出した雨量事例を示す。図８は、過去数年分の乖離度ｉを毎時間計算し、最も乖離度ｉが小さいものを示している。最小二乗法（ＬＳ）では現在の雨量（ＣＵＲ）と形状および雨量の異なる事例が抽出されたが、部分的最小二乗法（ＰＬＳ）では形状および雨量の似た事例を抽出することができた。
【００４３】
図９は、本発明の予測装置５および予測方法の処理の流れをフローチャートで示す。本発明の予測装置５の各機能をすべてソフトウェアにより実現した場合、即ち予測プログラムの処理の流れも同様のフローチャートとなる。図９に示されるように、ｎ個の諸量（Ｒｉ，ｔ）を説明変数とし１個の諸量（Ｄｔ）を目的変数とした単位系が異なる諸量に関する回帰式について、記録部４０の各一記録ｉについて所定の重回帰分析を行い、単位系が異なる諸量に対応したｎ個の偏回帰係数（ａｔ）を取得する（重回帰分析ステップ。ステップＳ１０。重回帰分析手段）。所望のｎ個の諸量（抽出条件）と記録部４０の各一記録ｉに記録されたｎ個の諸量との類似の程度を示す基準であって、重回帰分析ステップ（ステップＳ１０）で取得された単位系が異なる諸量に対応したｎ個の偏回帰係数（ａｔ）を用いた基準（乖離度ｉ）により、所望のｎ個の諸量に最も類似する記録ｋを記録部４０から抽出する（抽出ステップ。ステップＳ１２。抽出手段）。抽出ステップ（ステップＳ１２）で抽出された記録ｋに含まれる１個の諸量（Ｄｋ）を取得する（諸量取得ステップ。ステップＳ１４。諸量取得手段）。諸量取得ステップ（ステップＳ１４）で取得された１個の諸量（Ｄｋ）を、所望のｎ個の諸量（抽出条件）から予測される諸量として出力する（出力ステップ。ステップＳ１６。出力手段）。
【００４４】
以上より、本発明の実施例１によれば、ダム管理システム１が設置された環境における予測を行うための予測装置５は、重回帰分析部１１、抽出部１２、諸量取得部１３、出力部１４および抽出条件設定部３０の各機能と記録部４０とを備えている。記録部４０は、降雨情報収集部２１、貯水位収集部２２、放流量収集部２３および流入量収集部２４により収集された種々のデータを記録している。記録部４０に記録されたこれらのデータは、ダム管理システム１で過去から現在に亘り単位時間毎に測定された単位系が異なる諸量であり、ｎ個の諸量と該ｎ個の諸量に関連する１個の諸量を一記録として複数の一記録からなる。重回帰分析部１１はｎ個の諸量（例えばある時点ｋを基準とした現在雨量からｎ―１時間前雨量）を説明変数とし、１個の諸量（例えばある時点ｋを基準とした１時間先の流入量）を目的変数とした単位系が異なる諸量に関する回帰式について、記録部４０の複数の一記録を用いて所定の重回帰分析を行い、単位系が異なる諸量に対応したｎ個の偏回帰係数（ａ０〜ａｎ−１）を取得する。重回帰分析部１１は例えば式２に示される降雨量から流入量を予測する場合の回帰式を用いる。偏回帰係数ａ０〜ａｎ−１の算出方法（所定の重回帰分析）としては、部分的最小二乗法が好適である。抽出部１２は、所望のｎ個の諸量と記録部４０の各一記録に記録されたｎ個の諸量との類似の程度を示す基準であって、重回帰分析部１１により取得された単位系が異なる諸量に対応したｎ個の偏回帰係数を用いた基準（例えば式５により示される乖離度ｉ）により、所望のｎ個の諸量に最も類似する記録を記録部４０から抽出する。抽出部１２が用いる所望のｎ個の諸量は、予め設定しておくかまたは入力操作部６０（後述の図１０参照）から入力してもよく、あるいは図２に示される抽出条件設定部３０により設定してもよい。抽出条件設定部３０は、類似事例を記録部４０から抽出（検索）するための抽出条件（所望のｎ個の諸量）を設定する。即ち、重回帰分析部１１が用いる回帰式２、２ａまたは３等の右辺に設定したデータ項目を設定する。諸量取得部１３は、上述のようにして抽出部１２により抽出された乖離度ｉが最小の記録ｉに含まれる１個の諸量Ｄｉを取得する。出力部１４は諸量取得部１３により取得された１個の諸量Ｄｉを、所望のｎ個の諸量（抽出条件）から予測される諸量として表示装置５４等（後述の図１０参照）へ出力する。
【００４５】
以上の結果、本発明の予測装置等によれば、部分的最小二乗法を用いた重回帰分析により単位系の異なる複数の条件で偏回帰係数を求めることができる。この偏回帰係数という再現性のある重み付けを行った乖離度ｉを用いて過去事例を検索することにより、現在の降雨量との乖離度が小さいという意味を有する適切な過去事例の抽出を行うことができる。抽出された過去事例を参考にすることにより、将来の流入量を予測することができ、放流量決定の参考とすることができる。
【００４６】
以上、ダム管理システム１を例に取り上げて、本発明の予測装置５等につき説明した。しかし、本発明の予測装置５等が適用される管理システムはダム管理システム１に限定されるものではない。本発明の予測装置５等は、ある管理システムが設置された環境における降雨量、管理システムへ流入する流入量、管理システムに貯えられた貯水位、管理システムから放流される放流量等を管理、運用、予測するシステムであれば、任意の管理システムに対して適用することが可能である。
【実施例２】
【００４７】
上述したように、本発明の予測装置５は全体をソフトウェア（予測プログラム）として実現することができ、あるいは一部をハードウェアとして実現することも可能である。図１０は、本発明の予測装置５が有するコンピュータ、予測プログラムまたは予測方法を実行するコンピュータの内部回路５０を示すブロック図である。図１０に示されるように、ＣＰＵ５１、ＲＯＭ５２、ＲＡＭ５３、画像制御部５６、コントローラ５７、入力制御部５９および外部Ｉ／Ｆ部６１はバス６２に接続されている。図１０において、上述の本発明の予測プログラムは、ＲＯＭ５２、ディスク４５またはＤＶＤ若しくはＣＤ−ＲＯＭ５８等の記録媒体（脱着可能な記録媒体を含む）に記録されている。ディスク等の記録装置４５には、記録部４０を記録しておくことができる。予測プログラムは、ＲＯＭ５２からバス６２を介し、あるいはディスク４５またはＤＶＤ若しくはＣＤ−ＲＯＭ５８等の記録媒体からコントローラ５７を経由してバス６２を介しＲＡＭ５３へロードされる。画像制御部５６は、出力部１４により出力される所望の画像データをＶＲＡＭ５５へ送出する。ディスプレイ等の表示装置５４はＶＲＡＭ５５から送出された上記データ等を表示する。ＶＲＡＭ５５は表示装置５４の一画面分のデータ容量に相当する容量を有している画像メモリである。入力操作部６０はコンピュータに入力を行うためのマウス、テンキー等の入力装置であり、入力制御部５９は入力操作部６０と接続され入力制御等を行う。外部Ｉ／Ｆ部６１はコンピュータの外部と接続する際のインタフェース機能を有している。
【００４８】
上述のようにＣＰＵ５１が本発明の予測プログラムを実行することにより、本発明の目的を達成することができる。予測プログラムは上述のようにＤＶＤ若しくはＣＤ−ＲＯＭ５８等の記録媒体の形態でコンピュータＣＰＵ５１に供給することができ、予測プログラムを記録したＤＶＤ若しくはＣＤ−ＲＯＭ５８等の記録媒体も同様に本発明を構成することになる。予測プログラムを記録した記録媒体としては上述された記録媒体の他に、例えばメモリ・カード、メモリ・スティック、光ディスク、ＦＤ等を用いることができる。
【産業上の利用可能性】
【００４９】
本発明の活用例として、ダム管理システム、下水道管理システムにおける流入量予測等の運用支援に適用することができる。
【符号の説明】
【００５０】
１  ダム管理システム、  ５  予測装置、  １０  機能ブロック、  １１  重回帰分析部、  １２  抽出部、  １３  諸量取得部、  １４  出力部、  ２１  降雨情報収集部、  ２２  貯水位収集部、  ２３  放流量収集部、  ２４  流入量収集部、  ３０  抽出条件設定部、  ４０  記録部、  ４５  記録装置、  ５０  内部回路、  ５１  ＣＰＵ、  ５２  ＲＯＭ、  ５３  ＲＡＭ、  ５４  表示装置、  ５５  ＶＲＡＭ、  ５６  画像制御部、  ５７  コントローラ、  ５８  ＤＶＤ、ＣＤ−ＲＯＭ、  ５９  入力制御部、  ６０  入力操作部、  ６１  外部Ｉ／Ｆ部、  ６２  バス。    
【先行技術文献】
【特許文献】
【００５１】
【特許文献１】特開２００７−１４０９６５号公報
【図１】
2010267217.tif 000005
【図２】
2010267217.tif 000006
【図３】
2010267217.tif 000007
【図４（Ａ）】
2010267217.tif 000008
【図４（Ｂ）】
2010267217.tif 000009
【図５】
2010267217.tif 000010
【図６】
2010267217.tif 000011
【図７】
2010267217.tif 000012
【図８】
2010267217.tif 000013
【図９】
2010267217.tif 000014
【図１０】
2010267217.tif 000015